(57)【要約】【課題】ＴＭＣＣ基本情報を利用して現用系と予備系とをシームレスに切り替える。【解決手段】第１多重化手段１２が出力したデータと第２多重化手段２２が出力したデータとのいずれかを選択する切替手段３１を備え、第１符号化手段１１と第２符号化手段２１とは、それぞれ、現用系と予備系の切替要求が入力されたときに、ＴＬＶパケットに切替要求発生フラグをセットし、切替要求発生フラグをセットしてから所定期間が経過したときに、ＴＬＶパケットに切替実行フラグをセットし、切替手段３１は、切替実行フラグがセットされたことに応じて、第１多重化手段１２と第２多重化手段２２とのうちの現用系のデータを選択する状態から、第１多重化手段１２と第２多重化手段２２とのうちの予備系のデータを選択する状態に切り替える切替処理を実行する。【選択図】図１２
2019176371.tif 000002
【特許請求の範囲】
【請求項１】
ＭＭＴ・ＴＬＶ方式で送信信号を作成する、冗長構成された放送信号送信装置であって、
少なくとも映像信号と音声信号との符号化処理を実行し、符号化されたデータをＭＭＴＰパケットに格納する第１符号化手段と、
前記第１符号化手段と同じ機能を有する第２符号化手段と、
少なくとも前記第１符号化手段が出力したＭＭＴＰパケットをＴＬＶパケットに格納する第１多重化手段と、
前記第１多重化手段と同じ機能を有する第２多重化手段と、
前記第１多重化手段が出力したデータと前記第２多重化手段が出力したデータとのいずれかを選択する切替手段とを備え、
前記第１符号化手段と前記第２符号化手段とは、それぞれ、現用系と予備系の切替要求が入力されたときに、前記ＴＬＶパケットに切替要求発生フラグをセットし、該切替要求発生フラグをセットしてから所定期間が経過したときに、前記ＴＬＶパケットに切替実行フラグをセットし、
前記切替手段は、前記切替実行フラグがセットされたことに応じて、前記第１多重化手段と前記第２多重化手段とのうちの現用系のデータを選択する状態から、前記第１多重化手段と前記第２多重化手段とのうちの予備系のデータを選択する状態に切り替える切替処理を実行する
ことを特徴とする放送信号送信装置。
【請求項２】
高階層のサービスの信号と低階層のサービスの信号とを多重化して送信する放送信号送信装置であり、
前記切替手段は、階層毎に前記切替処理を実行する
請求項１記載の放送信号送信装置。
【請求項３】
１フレームは複数スロットで構成され、前記ＴＬＶパケットは１つまたは複数のスロットに格納され、
各々の前記スロットには、少なくともスロットの属性およびスロットカウンタを含むＴＭＣＣ基本情報が設定され、
前記第１多重化手段と前記第２多重化手段とは、それぞれ、ＴＭＣＣ基本情報フィールド中に前記切替要求発生フラグおよび前記切替実行フラグを設定する
請求項１または請求項２記載の放送信号送信装置。
【請求項４】
ＴＭＣＣ基本情報フィールドのサイズは第０バイト〜第３４バイトの３５バイトであり、
前記第１多重化手段と前記第２多重化手段とは、それぞれ、前記ＴＭＣＣ基本情報フィールドの第１０バイトに前記切替要求発生フラグおよび前記切替実行フラグを設定する
請求項３記載の放送信号送信装置。
【請求項５】
各々の前記スロットには、少なくとも伝送モードの情報を含むＴＭＣＣ伝送情報が設定され、
前記切替手段は、前記切替処理を実行する前後の前記ＴＭＣＣ基本情報から前記ＴＭＣＣ伝送情報を作成する
請求項３または請求項４記載の放送信号送信装置。
【請求項６】
前記切替手段は、
前記切替実行フラグがセットされたことに応じて、現用系の前記ＴＭＣＣ基本情報を選択する状態から予備系の前記ＴＭＣＣ基本情報を選択する状態に切り替え、
前記ＴＭＣＣ基本情報を選択する状態に切り替えてから２フレーム経過した後に、少なくともＭＭＴＰパケットを含む主信号に関して、現用系のデータを選択する状態から予備系のデータを選択する状態に切り替える
請求項３から請求項５のうちのいずれか１項に記載の放送信号送信装置。
【請求項７】
ＭＭＴ・ＴＬＶ方式で送信信号を作成する、冗長構成された放送信号送信装置で実行される放送信号送信方法であって、
少なくとも映像信号と音声信号との符号化処理を実行し、符号化されたデータをＭＭＴＰパケットに格納する第１符号化ステップと、
前記第１符号化ステップとは別に実行されるが、前記第１符号化ステップと同じ処理である第２符号化ステップと、
少なくとも前記第１符号化ステップが出力したＭＭＴＰパケットをＴＬＶパケットに格納する第１多重化ステップと、
前記第１多重化ステップとは別に実行されるが、前記第１多重化ステップと同じ処理である第２多重化ステップと、
前記第１多重化ステップが出力したデータと前記第２多重化ステップが出力したデータとのいずれかを選択する切替ステップとを実行し、
前記第１符号化ステップと前記第２符号化ステップとのそれぞれで、現用系と予備系の切替要求が入力されたときに、前記ＴＬＶパケットに切替要求発生フラグをセットし、該切替要求発生フラグをセットしてから所定期間が経過したときに、前記ＴＬＶパケットに切替実行フラグをセットし、
前記切替ステップで、前記切替実行フラグがセットされたことに応じて、前記第１多重化ステップが出力したデータと前記第２多重化ステップが出力したデータとのうちの現用系のステップからのデータを選択する状態から、前記第１多重化ステップが出力したデータと前記第２多重化ステップが出力したデータとのうちの予備系のステップからのデータを選択する状態に切り替える切替処理を実行する
ことを特徴とする放送信号送信方法。
【請求項８】
高階層のサービスの信号と低階層のサービスの信号とを多重化して送信する放送信号送信方法であり、
前記切替ステップで、階層毎に前記切替処理を実行する
請求項７記載の放送信号送信方法。
【請求項９】
１フレームは複数スロットで構成され、前記ＴＬＶパケットは１つまたは複数のスロットに格納され、
各々の前記スロットには、少なくともスロットの属性およびスロットカウンタを含むＴＭＣＣ基本情報が設定され、
前記第１多重化ステップと前記第２多重化ステップとのそれぞれで、ＴＭＣＣ基本情報フィールド中に前記切替要求発生フラグおよび前記切替実行フラグを設定する
請求項７または請求項８記載の放送信号送信方法。
【請求項１０】
ＴＭＣＣ基本情報フィールドのサイズは第０バイト〜第３４バイトの３５バイトであり、
前記第１多重化ステップと前記第２多重化ステップとのそれぞれで、前記ＴＭＣＣ基本情報フィールドの第１０バイトに前記切替要求発生フラグおよび前記切替実行フラグを設定する
請求項９記載の放送信号送信方法。
【発明の詳細な説明】
【技術分野】
【０００１】
本発明は、少なくとも２系統の放送信号送信システムを含む放送信号送信装置、および放送信号送信装置で実行される放送信号送信方法に関する。
【背景技術】
【０００２】
デジタル放送用の放送信号送信装置には、アナログ放送用の放送信号送信装置と同様に、高い信頼性が要求される。そのような要求に応じて、一般に、冗長構成の放送信号送信装置が使用される。冗長構成の放送信号送信装置は、少なくとも２系統の放送信号送信システムを含む。以下、実際に運用に供されている放送信号送信システムを現用系システムという。運用に供されていない放送信号送信システムを予備系システム（待機系システム）という。
【０００３】
例えば、現用系システムが故障すると、予備系システムが現用系システムに切り替えられる。また、現用系システムに対する保守作業が開始されるときに、予備系システムが現用系システムに切り替えられる。切り替えに際して、映像信号や音声信号の瞬断が発生しないことが求められる。すなわち、映像信号や音声信号の瞬断が発生しないシームレスな切り替えが求められる。
【０００４】
映像の高精細化の要請に応じて、水平方向1920×垂直方向1080（画素）のフルHD（High Definition ）の映像（以下、２Ｋという。）が供給されている。また、水平方向3840×垂直方向2160（画素）の高精細映像（以下、４Ｋという。）の試験放送や商用放送が開始されている。さらに、水平方向7680×垂直方向4320（画素）の高精細映像（以下、８Ｋという。）の商用放送が計画されている。
【０００５】
２Ｋの放送では、例えば、特許文献１に記載されているように、映像信号および音声信号に無効期間（ＧＡＰ：隙間期間ともいう。）を挿入することによって、シームレスな切り替えが行われる。無効期間として、例えば、１８８または２０４バイトの固定長のＴＳ（Transport Stream）パケットが使用される。なお、無効期間において、映像信号および音声信号は出力されない。
【０００６】
４Ｋの放送および８Ｋの放送では、ＭＭＴ（MPEG(Moving Picture Experts Group) Media Transport）・ＴＬＶ（Type Length Value ）方式が使用可能である。ＭＭＴ・ＴＬＶ方式では、符号化された映像信号および音声信号等が、ＭＭＴＰ（MMT Protocol）パケットに格納される。ＭＭＴＰパケットは、ＩＰ（Internet Protocol ）パケットで伝送される。ＭＭＴＰパケットは、可変長パケットである。ＴＬＶパケットは、ＭＭＴＰパケットにパケット種別とデータ長が付加された可変長パケットである。ＴＬＶパケットの伝送には、ＴＬＶ多重化方式が用いられる。ＴＬＶ多重化方式は、例えば、非特許文献２の第３章「3.2 多重信号のフレーム構成」の「図3.2-1 伝送主信号の生成」に従う方式である。ＴＬＶ多重化方式には、５６４５バイトをスロット単位としたＴＬＶスロットで信号を伝送する局間ＴＬＶ伝送フォーマットがある。各スロット単位には、主信号と、ヌルデータ（ＮＵＬＬ）と、ＴＭＣＣ 基本情報とが含まれる。主信号は、複数のＴＬＶパケットを連結した信号である。ヌルデータは、主信号に関する制御情報領域であるスロットヘッダに、誤り訂正符号（ＢＣＨ、ＬＤＰＣ（Low Density Parity Check））およびスタッフビットを付加するための領域である。また、ＴＬＶ多重化方式には、合成ＴＬＶ伝送フォーマットがある。合成ＴＬＶ伝送フォーマットでは、局間ＴＬＶ伝送フォーマットに１６５バイトのＴＭＣＣ伝送情報のフィールドが付加される。
【０００７】
特許文献２は、１フレームが１２０スロットで構成されるＴＬＶ多重化方式を用いる放送信号送信装置を開示する。また、特許文献２には、１つのＴＬＶパケットが複数のスロットにまたがることがあることが記載されている。さらに、特許文献２は、現用系システムと予備系システムとの切り替えに、各々のスロットに設定されるＴＭＣＣ（Transmission and Multiplexing Configuration and Control ）基本情報が利用可能であることを開示する。具体的には、ＴＭＣＣ基本情報に、当該スロットにおいてＴＬＶパケットが完結するか否かの情報が含められる。
【０００８】
なお、ＴＭＣＣ基本情報のフォーマットは、非特許文献１に規定されている。
【０００９】
また、非特許文献３には、ＭＭＴＰパケットを格納するＩＰパケットの構造やＴＬＶパケットの構造が記載されている。
【先行技術文献】
【特許文献】
【００１０】
【特許文献１】特開２００５−９４３９０号公報
【特許文献２】特開２０１７−１１８３３１号公報
【非特許文献】
【００１１】
【非特許文献１】ＡＲＩＢ（Association of Radio Industries and Business：電波産業会）規格 TR-B39 「高度広帯域衛星デジタル放送運用規定」，電波産業会，2018年 1月22日
【非特許文献２】ＡＲＩＢ規格 STD-B44 2.1版 「高度広帯域衛星デジタル放送の伝送方式」，2016年 3月25日
【非特許文献３】ＡＲＩＢ規格 STD-B32 3.0版「デジタル放送における映像符号化、音声符号化及び多重化方式」，電波産業会，2014年 7月31日
【発明の概要】
【発明が解決しようとする課題】
【００１２】
上述したように、特許文献２には、現用系と予備系との切り替えのために、スロットにおいてＴＬＶパケットが完結するか否かの情報がＴＭＣＣ基本情報に設定されることが記載されている。しかし、特許文献２は、現用系システムと予備系システムとが、ＴＬＶパケットが完結するか否かの情報を利用して具体的にどのようにして切り替えを実行するのかを開示していない。
【００１３】
本発明は、ＭＭＴ・ＴＬＶ方式で放送信号を送信する場合に、ＴＭＣＣ基本情報を利用して現用系と予備系とをシームレスに切り替えることができる放送信号送信装置および放送信号送信方法を提供することを目的とする。
【課題を解決するための手段】
【００１４】
本発明による放送信号送信装置は、ＭＭＴ・ＴＬＶ方式で送信信号を作成する、冗長構成された放送信号送信装置であって、少なくとも映像信号と音声信号との符号化処理を実行し、符号化されたデータをＭＭＴＰパケットに格納する第１符号化手段と、第１符号化手段と同じ機能を有する第２符号化手段と、少なくとも第１符号化手段が出力したＭＭＴＰパケットをＴＬＶパケットに格納する第１多重化手段と、第１多重化手段と同じ機能を有する第２多重化手段と、第１多重化手段が出力したデータと第２多重化手段が出力したデータとのいずれかを選択する切替手段とを備え、第１符号化手段と第２符号化手段とは、それぞれ、現用系と予備系の切替要求が入力されたときに、ＴＬＶパケットに切替要求発生フラグをセットし、切替要求発生フラグをセットしてから所定期間が経過したときに、ＴＬＶパケットに切替実行フラグをセットし、切替手段は、切替実行フラグがセットされたことに応じて、第１多重化手段と第２多重化手段とのうちの現用系のデータを選択する状態から、第１多重化手段と第２多重化手段とのうちの予備系のデータを選択する状態に切り替える切替処理を実行する。
【００１５】
本発明による放送信号送信方法は、ＭＭＴ・ＴＬＶ方式で送信信号を作成する、冗長構成された放送信号送信装置で実行される放送信号送信方法であって、少なくとも映像信号と音声信号との符号化処理を実行し、符号化されたデータをＭＭＴＰパケットに格納する第１符号化ステップと、第１符号化ステップとは別に実行されるが、第１符号化ステップと同じ処理である第２符号化ステップと、少なくとも第１符号化ステップが出力したＭＭＴＰパケットをＴＬＶパケットに格納する第１多重化ステップと、第１多重化ステップとは別に実行されるが、第１多重化ステップと同じ処理である第２多重化ステップと、第１多重化ステップが出力したデータと第２多重化ステップが出力したデータとのいずれかを選択する切替ステップとを実行し、第１符号化ステップと第２符号化ステップとのそれぞれで、現用系と予備系の切替要求が入力されたときに、ＴＬＶパケットに切替要求発生フラグをセットし、切替要求発生フラグをセットしてから所定期間が経過したときに、ＴＬＶパケットに切替実行フラグをセットし、切替ステップで、切替実行フラグがセットされたことに応じて、第１多重化ステップが出力したデータと第２多重化ステップが出力したデータとのうちの現用系のステップからのデータを選択する状態から、第１多重化ステップが出力したデータと第２多重化ステップが出力したデータとのうちの予備系のステップからのデータを選択する状態に切り替える切替処理を実行する。
【発明の効果】
【００１６】
本発明によれば、ＭＭＴ・ＴＬＶ方式で放送信号を送信する場合に、ＴＭＣＣ基本情報を利用して現用系と予備系とをシームレスに切り替えることができる。
【図面の簡単な説明】
【００１７】
【図１】放送信号送信装置の構成例を示すブロック図である。
【図２】ＭＴＴＰパケットとＴＬＶパケットとの関係を示す説明図である。
【図３】第１ＭＭＴ多重化部が出力するＩＰパケットのヘッダ部の構成例を示す説明図である。
【図４】１フレームを構成するスロットの例を示す説明図である。
【図５】ＴＭＣＣ基本情報フィールドの構成の一例を示す説明図である。
【図６】合成ＴＬＶ伝送フォーマットの一例を示す説明図である。
【図７】第１エンコーダの動作を示すフローチャートである。
【図８】第１ＴＬＶ多重化部の動作を示すフローチャートである。
【図９】切替器の動作を示すフローチャートである。
【図１０】第１ＴＬＶ多重化部および切替器の動作を説明するための説明図である。
【図１１】第２の実施形態における第１ＴＬＶ多重化部および切替器の動作を説明するための説明図である。
【図１２】放送信号送信装置の主要部を示すブロック図である。
【発明を実施するための形態】
【００１８】
以下、本発明の実施形態を図面を参照して説明する。
【００１９】
実施形態１．
図１は、放送信号送信装置の構成例を示すブロック図である。図１に示す放送信号送信装置１は、第１系統１００、第２系統２００、制御部３００、基準ＧＯＰ（Group of Pictures ）発生部４００、切替器５０１，５０２およびフレーム同期信号発生部６００を含む。
【００２０】
第１系統１００は、第１エンコーダ１０１、第１ＭＭＴ多重化部１０２および第１ＴＬＶ多重化部１０３を含む。第２系統２００は、第２エンコーダ２０１、第２ＭＭＴ多重化部２０２および第２ＴＬＶ多重化部２０３を含む。
【００２１】
第１エンコーダ１０１は、例えばＨＥＶＣ（High Efficiency Video Coding）方式に基づいて、映像信号および音声信号を符号化する。
【００２２】
なお、図１には示されていないが、第１系統１００と第２系統２００の各々には、低階層エンコーダ、ＳＩ（Service Information ）送出装置、字幕送出装置等も含まれていることがある。８Ｋ／４Ｋ放送では、階層伝送が使用される。階層伝送では、高階層のサービスと低階層のサービス（例えば、高階層としての８Ｋ放送と低階層としての４Ｋ放送、または、高階層としての４Ｋ放送と低階層としての２Ｋ放送）の信号が多重化されて伝送される。低階層エンコーダは、低階層の映像信号および音声信号を符号化する装置である。
【００２３】
第１ＭＭＴ多重化部１０２は、ＭＭＴ多重化処理を実行する。ＭＭＴ多重化処理は、第１エンコーダ１０１の出力信号（ＩＰパケット化されたＭＭＴＰパケット）とその他の装置（低階層エンコーダ、ＳＩ送出装置、字幕送出装置等）が出力するＭＭＴＰパケット（ＩＰパケット化されたＭＭＴＰパケット）とを多重化する処理である。なお、上述したように、ＭＭＴＰパケットはＩＰパケットに格納されている。
【００２４】
第１ＴＬＶ多重化部１０３は、多重化されたＭＭＴＰパケットをＴＬＶパケットに格納する。
【００２５】
第２エンコーダ２０１は、第１エンコーダ１０１と同じ機能を有する。第２ＭＭＴ多重化部２０２は、第１ＭＭＴ多重化部１０２と同じ機能を有する。第２ＴＬＶ多重化部２０３は、第１ＴＬＶ多重化部１０３と同じ機能を有する。
【００２６】
切替器５０１は、第１系統１００からの信号（データ）と第２系統２００からの信号（データ）とのうち、現用系になっている系統からの信号を選択する。なお、切替機能も、２つの切替器５０１，５０２によって冗長化されている。よって、切替器５０２は、切替器５０１と同じ機能を有する。
【００２７】
制御部３００は、第１エンコーダ１０１、第２エンコーダ２０１、第１ＴＬＶ多重化部１０３、第２ＴＬＶ多重化部２０３、および切替器５０１，５０２に切替制御信号を出力する。
【００２８】
第１系統１００と第２系統２００とのうちのいずれかが現用系で運用される。すなわち、第１系統１００が現用系のシステムである場合、第２系統２００が予備系システムになる。その場合、切替器５０１，５０２（具体的には、現用系になっている一方）は、第１系統１００の信号（データ）を通過させる。また、第２系統２００が現用系のシステムである場合、第１系統１００が予備系システムになる。その場合、切替器５０１，５０２（具体的には、現用系になっている一方）は、第２系統２００の信号（データ）を通過させる。
【００２９】
切替器５０１，５０２を通過した信号は、例えば、アップリンク局に伝送される。
【００３０】
基準ＧＯＰ発生部４００は、ＢＢ（Black Burst ）信号を基準信号として、ＧＯＰ同期信号を作成する。ＧＯＰ同期信号は、第１系統１００と第２系統２００とに出力される。ＭＭＴでは、ＭＰＵ（Media Processing Unit )が処理単位であるが、ＭＰＵは、第１系統１００と第２系統２００とにおいて、ＧＯＰに同期する（単位が同じである。）ように制御される。また、基準ＧＯＰ発生部４００は、時刻同期のための基準となる信号を入力し、第１系統１００と第２系統２００とに、時刻同期のためのＮＴＰ（Network Time Protocol ）信号を出力する。
【００３１】
フレーム同期信号発生部６００は、基準クロック信号に同期したフレーム同期信号を生成する。フレーム同期信号発生部６００は、第１ＴＬＶ多重化部１０３、第２ＴＬＶ多重化部２０３、および切替器５０１，５０２に、フレーム同期信号を供給する。第１ＴＬＶ多重化部１０３および第２ＴＬＶ多重化部２０３は、フレーム同期信号に同期して、第１ＭＭＴ多重化部１０２および第２ＭＭＴ多重化部２０２からの信号を多重化する。
【００３２】
本実施形態では、第１系統１００と第２系統２００とは、制御部３００から出力される切替制御信号に応じて、以下に説明する方法によって、シームレスな切り替えを実現する。制御部３００は、現用系と予備系の切り替えがなされるべきときに、第１系統１００と第２系統２００とに切替制御信号を出力する。
【００３３】
なお、以下、第１系統１００における各ブロック（第１エンコーダ１０１、第１ＭＭＴ多重化部１０２、第１ＴＬＶ多重化部１０３）および切替器５０１の機能および動作を例にして説明を行う。しかし、第２系統２００における各ブロック（第２エンコーダ２０１、第２ＭＭＴ多重化部２０２、第２ＴＬＶ多重化部２０３）も第１系統１００における各ブロックの機能と同様の機能を有する。そして、第２系統２００における各ブロックは、第１系統１００における各ブロックと同様の動作を行う。また、切替器５０２は、切替器５０１と同様の機能を有し、かつ、同様の動作を行う。
【００３４】
図２は、ＭＴＴＰパケットとＴＬＶパケットとの関係が模式的に示された説明図である。ＭＭＴ・ＴＬＶ方式では、図２に示すように、ＭＭＴＰパケットは、ＩＰパケットで伝送される。ＩＰパケットは、ＴＬＶパケットに格納される。
【００３５】
図３は、第１エンコーダ１０１が出力するＩＰパケットのヘッダ部（ヘッダ）の構成例を示す説明図である。図３には、非特許文献３に記載されたＩＰｖ６パケットのヘッダ部が例示されている。なお、本実施形態ではＩＰｖ６パケットの使用を例にするが、第１エンコーダ１０１は、ＩＰｖ４パケットを使用することも可能である。
【００３６】
図３に示す例では、ＩＰパケットのヘッダは、バージョン（４ビット）、トラフィッククラス（８ビット）、フローラベル（２０ビット）、ペイロード長（１６ビット）、ネクストヘッダ（８ビット）、ホップリミット（８ビット）、送信元アドレス（１２８ビット）、および宛先アドレス（１２８ビット）の各フィールドを含む。
【００３７】
本実施形態では、第１エンコーダ１０１は、ＩＰパケットのヘッダにおけるトラフィッククラスのフィールドを利用してＧＡＰの開始および終了を示す情報を第１ＴＬＶ多重化部１０３に伝達する。具体的には、第１エンコーダ１０１は、トラフィッククラスのフィールドの第６ビット（フィールドにおけるビット番号を第０〜第７ビットとする。）にEnd フラグを設定し、第７ビットにStart フラグを設定する。なお、第６ビットおよび第７ビットを使用することは一例であり、他のビットが使用されてもよい。
【００３８】
End フラグは、非ＧＡＰ期間の終了を意味する。換言すれば、End フラグは、ＧＡＰ期間の開始を意味する。Start フラグは、非ＧＡＰ期間の開始を意味する。換言すれば、Start フラグは、ＧＡＰ期間の終了を意味する。
【００３９】
なお、END フラグの有意な値は"1" であるとする。START フラグの有意な値は"1" であるとする。なお、一例として、第１エンコーダ１０１は、END フラグとSTART フラグとを同時に有意にしないように制御する。
【００４０】
図４は、１フレームを構成するスロットの例を示す説明図である。図４の（Ａ）には、４０スロットで１フレームが構成される例が示されている。図４の（Ｂ）には、１２０スロットで１フレームが構成される例が示されている。なお、図４に示された例は、非特許文献１に記載されている。
【００４１】
図４に示す例では、各スロットは、スロットヘッダ、主信号（ＴＬＶ）、ＢＣＨ、スタッフビット、ＬＤＰＣ、ＴＭＣＣ基本情報のフィールドを含む。主信号（ＴＬＶ）フィールドに、ＴＬＶパケットを連結した主信号が設定される。ＢＣＨフィールドには、誤り訂正符号としてのＢＣＨ符号が設定される。スタッフビットフィールドには、スタッフビットが設定される。ＬＤＰＣフィールドには、内符号としてのＬＤＰＣ符号が設定される。なお、図４の下段に示されているＮＵＬＬ領域は、ＢＣＨ符号、スタッフビットおよびＬＤＰＣ符号が設定される領域である。
【００４２】
図４に示された（５６１０バイト＋３５バイト）の各スロットの信号がそのまま伝送されることもあるが、さらにデータが付加された信号が伝送されることもある。データが付加された信号のフォーマットは、上述した合成ＴＬＶ伝送フォーマットである。
【００４３】
合成ＴＬＶ伝送フォーマットでは、図４に示された（５６１０バイト＋３５バイト）の信号に、例えば、１６５バイトのＴＭＣＣ伝送情報のフィールドが付加される。ＴＭＣＣ伝送情報フィールドには、伝送モード（変調方式や符号化率）、ストリーム種別、送受信制御情報等のデータ（ＴＭＣＣ伝送情報）が含まれる。なお、ＴＭＣＣ伝送情報は、１２０スロットのうちの第１〜第７スロットにおけるＴＭＣＣ伝送情報フィールド、および第８スロットにおけるＴＭＣＣ伝送情報フィールドの一部に設定される。第８スロットにおけるＴＭＣＣ伝送情報フィールドの他部、および第９〜第１２０スロットのＴＭＣＣ伝送情報フィールドには、ＮＵＬＬが設定される。
【００４４】
図５は、ＴＭＣＣ基本情報フィールドの構成の一例を示す説明図である。図５には、３５バイトのＴＭＣＣ基本情報が示されている。ＴＭＣＣ基本情報は、少なくともスロットの属性（有効であるのか無効スロットであるのかを示す。）およびスロットカウンタ（スロットの番号を示す。）を含む。図５に示されるＴＭＣＣ基本情報のうち第１０バイト以外の情報は、非特許文献１に示されている「ＴＭＣＣ基本情報ビットの割り当て」による情報と同じである。
【００４５】
本実施形態では、非特許文献１に示されているＴＭＣＣ基本情報と比較した場合、第１０バイトの第７ビットにEND フラグが設定され（各バイトはビット番号が第０〜第７ビットのビットで構成されているとする。）、第６ビットにSTART フラグが設定される点が異なる。
【００４６】
ＴＭＣＣ基本情報におけるSTART フラグの意味は、図３に例示されたStart フラグの意味と同じである。また、END フラグの意味は、図３に例示されたEnd フラグの意味と同じである。
【００４７】
なお、END フラグの有意な値は"1" であるとする。START フラグの有意な値は"1" であるとする。一例として、第１ＴＬＶ多重化部１０３は、END フラグとSTART フラグとを同時に有意にしないように制御する。また、第７ビットおよび第６ビットを使用することは一例であり、他のビットが使用されてもよい。また、例えば、第７ビットにSTART フラグが設定され、第６ビットにEND フラグが設定されるようにしてもよい。
【００４８】
第１ＴＬＶ多重化部１０３は、制御部３００から切替制御信号で切替開始を指示されたことを契機にして、ＭＭＴＰパケット（具体的には、ＩＰパケット）のトラフィッククラスのフィールドの監視を開始する。第１ＴＬＶ多重化部１０３は、トラフィッククラスのフィールドにおいてEnd フラグを検出したら、ＴＭＣＣ基本情報におけるEND フラグをセットする。すなわち、第１ＴＬＶ多重化部１０３は、END フラグの値を有意にする。また、第１ＴＬＶ多重化部１０３は、例えば、所定期間経過後に、ＴＭＣＣ基本情報におけるSTART フラグの値を有意にする。なお、第１ＴＬＶ多重化部１０３は、START フラグの値を有意にするとき等に、END フラグをリセットする。
【００４９】
図６は、合成ＴＬＶ伝送フォーマットの一例を示す説明図である。図６に示す合成ＴＬＶ伝送フォーマットは、ＭＡＣ（Media Access Control）フレーム形式である。ＴＶＬパケットは、第１ＴＬＶ多重化部１０３から、ＩＰｖ４／ＵＤＰパケットに格納された後、ＭＡＣフレーム形式で出力される。なお、例えば非特許文献３に記載された方式に従うとＩＰｖ４／ＵＤＰパケットのみが用いられるが、ＩＰｖ６／ＵＤＰパケット、ＩＰｖ４／ＴＣＰパケット、またはＩＰｖ６／ＴＣＰパケットが用いられてもよい。
【００５０】
図６に示すように、第１ＴＬＶ多重化部１０３には、第１ＭＭＴ多重化部１０２から、ＩＰｖ６／ＵＤＰパケットに格納されたＭＭＴパケットデータが入力される。なお、図６の上段には、「宛先ＭＡＣアドレス」および「送信元ＭＡＣアドレス」も記載されているが、それらは、第１ＴＬＶ多重化部１０３が生成するデータである。
【００５１】
第１ＴＬＶ多重化部１０３は、ＴＬＶ多重化処理を実行するときに、入力されたＭＭＴＰパケット（ＩＰパケット化されたＭＭＴＰパケット）を主信号（ＴＬＶ）フィールドに格納する。また、第１ＴＬＶ多重化部１０３は、主信号に対して、スロットヘッダ、ＮＵＬＬ、ＴＭＣＣ基本情報、およびＴＭＣＣ伝送情報を付加する。第１ＴＬＶ多重化部１０３は、スロットヘッダ、主信号、ＮＵＬＬ、ＴＭＣＣ基本情報、およびＴＭＣＣ伝送情報を、合成ＴＬＶパケットデータの領域における主信号（ＴＬＶ）フィールドに格納する。また、第１ＴＬＶ多重化部１０３は、ＴＬＶ−ＳＩ（Signaling Information ）等も多重化する。
【００５２】
なお、第１ＴＬＶ多重化部１０３は、ＴＭＣＣ伝送情報が含まれないＴＬＶパケットを作成するためのＴＬＶ多重化処理を実行するときには、スロットヘッダ、主信号、ＮＵＬＬ、およびＴＭＣＣ基本情報を、ＴＬＶパケットデータの領域（合成ＴＬＶパケットデータの領域と同様に確保される領域）における主信号（ＴＬＶ）フィールドに格納する。ただし、ＴＬＶパケットデータの領域のサイズは、５６４５バイトである。
【００５３】
次に、放送信号送信装置の動作を説明する。なお、第１系統１００が現用系システムであり、第２系統システム２００が予備系システムである場合を例にして、以下の説明を行う。
【００５４】
図７は、第１エンコーダ１０１の動作を示すフローチャートである。図７に示すように、第１エンコーダ１０１は、符号化処理を実行し、符号化データをＭＭＴＰパケット化する（ステップＳ１０１，Ｓ１０２）。第１エンコーダ１０１は、ＭＭＴＰパケットをＩＰパケットに格納し、ＩＰパケットを第１ＭＭＴ多重化部１０２に出力する。また、第１エンコーダ１０１は、ステップＳ１０１，Ｓ１０２の処理を実行しつつ、制御部３００から切替制御信号が出力されるか否か確認する（ステップＳ１０３）。
【００５５】
切替制御信号が出力されたことを検出した場合には、第１エンコーダ１０１は、符号化処理が完結するときに、ＩＰパケットのヘッダにおいてEnd フラグをセットする（ステップＳ１０４）。なお、「符号化処理の完結」は、ある符号化シーケンスにおける全ての符号化データが生成されたことを意味する。
【００５６】
その後、第１エンコーダ１０１は、ＧＡＰ期間の終了を待つ（ステップＳ１０５）。
【００５７】
ＧＡＰ期間が終了したら、第１エンコーダ１０１は、ＩＰパケットのヘッダにおいてStart フラグをセットする（ステップＳ１０６）。そして、ステップＳ１０１に戻る。なお、第１エンコーダ１０１は、例えば、Start フラグをセットするときに、ヘッダにおいてEnd フラグをセットしないようにする。また、第１エンコーダ１０１は、例えば、さらに次のＩＰパケットを作成するときに、Start フラグをセットしないようにする。この処理は、Start フラグのリセット処理に相当するが、Start フラグのリセット時期は、他の時期であってもよい。
【００５８】
図８は、第１ＴＬＶ多重化部１０３の動作を示すフローチャートである。図８に示すように、第１ＴＬＶ多重化部１０３は、上述したＴＬＶ多重化処理を実行する（ステップＳ２０１）。また、第１ＴＬＶ多重化部１０３は、制御部３００から切替制御信号が出力されるか否か確認する（ステップＳ２０１）。切替制御信号が検出されない場合には、ステップＳ２０１に戻る。
【００５９】
切替制御信号が出力されたことを検出した場合には、第１ＴＬＶ多重化部１０３は、第１ＭＭＴ多重化部１０２から入力されるＩＰパケットのヘッダにおいてEnd フラグがセットされているか否か確認する（ステップＳ２０３）。End フラグが検出されない場合には、ステップＳ２０１に戻る。
【００６０】
第１ＴＬＶ多重化部１０３は、End フラグを検出した場合には、スロットのＴＭＣＣ基本情報においてEND フラグをセットする（ステップＳ２０４）。
【００６１】
なお、第１ＴＬＶ多重化部１０３は、制御部３００から切替制御信号を受けてから所定時間以内にEnd フラグを検出できない場合には、切替制御信号を受ける前の状態に戻るようにしてもよい。
【００６２】
そして、第１ＴＬＶ多重化部１０３は、ＧＡＰ期間が終了するのを待つ（ステップＳ２０５）。第１ＴＬＶ多重化部１０３は、ＧＡＰ期間が終了したときに、直後のスロットのＴＭＣＣ基本情報においてSTART フラグをセットする（ステップＳ２０６）。その後、ステップＳ２０１に戻る。
【００６３】
なお、第１ＴＬＶ多重化部１０３は、ＧＡＰ期間が終了するまで、各スロットのＴＭＣＣ基本情報においてEND フラグをセットする。また、第１ＴＬＶ多重化部１０３は、例えば、START フラグをセットするときに、ＴＭＣＣ基本情報においてEND フラグをセットしないようにする。また、第１ＴＬＶ多重化部１０３は、例えば、さらに次のスロットを作成するときに、START フラグをセットしないようにする。この処理は、START フラグのリセット処理に相当するが、START フラグのリセット時期は、他の時期であってもよい。
【００６４】
また、第１ＴＬＶ多重化部１０３は、ＴＬＶパケットが完結するスロットにおける主信号（ＴＬＶ）フィールドの残領域（ＭＭＴＰパケットで満たされない領域）をＮＵＬＬで満たす。ＴＬＶパケットが複数のスロットをまたぐことを防止するためである。
【００６５】
後述するように、ＴＭＣＣ基本情報は、対応する主信号に先行して設定されることがある。例えば、主信号が伝送されるフレームよりも２つ前のフレームの対応スロットに、その主信号に対応するＴＭＣＣ基本情報が設定されることがある。なお、対応スロットは、例えば、ｎ番目のスロットに着目すると、２つ前のフレームのｎ番目のスロットである。また、ＴＭＣＣ基本情報を基準にすると、主信号は、対応するＴＭＣＣ基本情報が設定されたスロットよりも２フレーム後の対応スロットにおいて現れる。ＴＭＣＣ基本情報を基準にした場合、対応スロットは、例えば、ｎ番目のスロットに着目すると、２つ後のフレームのｎ番目のスロットである。
【００６６】
主信号とＴＭＣＣ基本情報とがそのような関係にある場合には、第１ＴＬＶ多重化部１０３は、ＴＭＣＣ基本情報においてEND フラグをセットしたスロットの２フレーム後のスロットにおける主信号の残領域をＮＵＬＬで満たす。
【００６７】
図９は、切替器５０１の動作を示すフローチャートである。図９に示すように、切替器５０１は、現用系システム（この例では、第１系統１００）から出力される信号（データ）を選択して、放送信号送信装置１から送信する信号とする（ステップＳ５０１）。また、切替器５０１は、スロットにおけるＴＭＣＣ基本情報においてEND フラグがセットされているか否か確認する（ステップＳ５０２）。END フラグがセットされていない場合には、ステップＳ５０１に戻る。
【００６８】
なお、制御部３００からの切替制御信号は、切替器５０１にも入力されている。切替器５０１は、切替制御信号を受けてから所定時間以内にEND フラグを検出できない場合には、例えば、ＴＭＣＣ基本情報と主信号とに関して、即座に、現用系と予備系との切り替えを実行してもよい。
【００６９】
切替器５０１は、ＴＭＣＣ基本情報においてEND フラグを検出したら、現用系システムから出力される信号を選択しつつ（ステップＳ５０３）、ＴＭＣＣ基本情報においてSTART フラグがセットされているか否か確認する（ステップＳ５０４）。
【００７０】
切替器５０１は、ＴＭＣＣ基本情報においてSTART フラグを検出したら、すなわち、ＧＡＰ期間が終了したことを検知したら、予備系システム（この例では、第２系統２００）から出力される信号におけるスロットからＴＭＣＣ基本情報を取得する。そして、放送信号送信装置１から送信される信号におけるスロットのＴＭＣＣ基本情報に、予備系から取得した情報を設定する（ステップＳ５０５）。すなわち、切替器５０１は、ＴＭＣＣ基本情報の切り替えを行う。
【００７１】
また、切替器５０１は、放送信号送信装置１から送信される信号におけるスロットのＴＭＣＣ伝送情報を作成する（ステップＳ５０６）。切替器５０１は、切り替え前のＴＭＣＣ基本情報（この例では、第１系統１００から出力されたＴＭＣＣ基本情報）と切り替え後のＴＭＣＣ基本情報（この例では、第２系統２００から出力されたＴＭＣＣ基本情報）をマージして、ＴＭＣＣ伝送情報を作成する。「切り替え前後のＴＭＣＣ基本情報のマージ」は、例えば、基本的には、切り替え後のＴＭＣＣ基本情報に設定されている情報に基づいてＴＭＣＣ伝送情報を作成することである。しかし、切り替え後のＴＭＣＣ基本情報からＴＭＣＣ伝送情報を作成するために必要な情報を抽出できない場合には、切り替え前のＴＭＣＣ基本情報が参照される。
【００７２】
そして、切替器５０１は、２フレーム分のデータの出力が完了したら（ステップＳ５０７，Ｓ５０８）、それから以後、予備系システム（この例では、第２系統２００）から出力される主信号をＴＬＶスロットに設定する（ステップＳ５０９）。すなわち、切替器５０１は、主信号に関して、予備系を現用系に移行させる。
【００７３】
なお、切替器５０１は、スロット番号に基づいてスロット合わせを行うことによって、切り替え前後のＩＰｖ４／ＵＤＰパケットのフレーム構成が崩れないように制御する。
【００７４】
なお、ＴＭＣＣ基本情報の切り替え時期に対して主信号の切り替え時期を２フレーム分遅らせる理由は、非特許文献１に記載されている規格に準拠するためである。非特許文献１には、主信号に対して２フレーム分先行してＴＭＣＣ基本情報を伝送することが規定されている。非特許文献１に記載されている規格に厳密に準拠しなくてよい場合には、ＴＭＣＣ基本情報の切り替え時期は、主信号の切り替え時期に対して２フレーム分前でなくてもよい。一例として、ＴＭＣＣ基本情報の切り替え時期は、主信号の切り替え時期に対して１フレーム分前であってもよい。また、主信号の切り替え時期は、ＴＭＣＣ基本情報の切り替え時期と同じであってもよい。
【００７５】
以上に説明したように、本実施形態では、第１ＴＬＶ多重化部１０３が、現用系システムと予備系システムとの切り替えのために、ＴＭＣＣ基本情報においてＧＡＰ期間の開始を示すEND フラグを設定し、かつ、ＧＡＰ期間の終了を示すSTART フラグを設定する。切替器５０１は、ＧＡＰ期間が終了したことを契機として、現用系の役割と予備系の役割とを交代させる。すなわち、現用系と予備系とを切り替える。
【００７６】
なお、第１系統１００と第２系統２００とは、同期して同じ処理を実行する。すなわち、第２エンコーダ２０１、第２ＭＭＴ多重化部２０２および第２ＴＬＶ多重化部２０３は、上述した第１エンコーダ１０１、第１ＭＭＴ多重化部１０２および第１ＴＬＶ多重化部１０３と同様の動作を行っている。しかし、現実には、双方の系統での処理の完了時点（例えば、符号化処理の完了時点）はずれる可能性がある。すなわち、一方の系統の処理が他方の系統の処理に対して遅延する可能性がある。ＧＡＰ期間が存在する場合には、例えば、処理の遅延が生じても、切替器５０１は、シームレスな切り替えを行うことができる。換言すれば、ＧＡＰ期間は、複数の処理（この例では、第１系統１００の処理と第２系統２００の処理）の完了時点のばらつきを吸収するのに十分な期間に設定される。
【００７７】
切替器５０１は、ＧＡＰ期間の存在に基づいてシームレスな切り替えを実現できるとともに、START フラグでＧＡＰ期間の終了が明示されることによって、確実な切り替えを実現することができる。
【００７８】
（実施例）
次に、図１０の説明図を参照して、現用系と予備系との切り替え処理の具体例を説明する。図１０は、第１ＴＬＶ多重化部１０３および切替器５０１の動作を説明するための説明図である。以下、１フレームは、１２０スロットで構成されている場合を例にする。
【００７９】
上述したように、制御部３００から切替制御信号が出力されたことを検出したときに、第１エンコーダ１０１は、ＭＭＴＰパケット（ＩＰパケット化されたＭＭＴＰパケット）のヘッダにおいてEnd フラグをセットする。第１ＴＬＶ多重化部１０３は、ＭＭＴＰパケットにおいてEnd フラグを検出すると、ＭＣＣ基本情報の第１０バイトの第７ビットに割り当てられているEND フラグを有意にする。すなわち、第１ＴＬＶ多重化部１０３は、END フラグをセットする。
【００８０】
ただし、本実施例では、第１ＴＬＶ多重化部１０３は、End フラグを検出した後、非特許文献２に記載された変調方式における割り当て最小単位である５×Ｎスロット目（Ｎ：０〜２３、ここでは、１フレームは第０〜第１１９スロットで構成されているとする。）においてEND フラグをセットする。
【００８１】
また、本実施例では、ＧＡＰ期間を１５スロットの期間とする。従って、第１ＴＬＶ多重化部１０３は、END フラグをセットしてから１５スロット（END フラグが設定されたスロットを含む。）のデータの出力が完了すると、次のスロットにおいてSTART フラグをセットする。なお、１５スロットは一例であって、他のスロット数を採用してもよい。
【００８２】
また、上述したように、第１ＴＬＶ多重化部１０３は、ＴＭＣＣ基本情報においてEND フラグをセットしたスロットの２フレーム後の対応スロットにおいて、ＭＭＴＰパケット（ＩＰパケット化されたＭＭＴＰパケット）を伝送するＴＬＶパケットを完結させる。「完結させる」は、当該フレームにおける後続するスロットにＭＭＴＰパケットを格納しないことを意味する。なお、そのときに扱われているＭＭＴＰパケットのサイズが大きい場合には、第１ＴＬＶ多重化部１０３は、２フレーム後の対応スロットにおいてＴＬＶＰパケットを完結させることができないことが考えられる。そのような場合には、第１ＴＬＶ多重化部１０３は、２フレーム後の対応スロットよりも後のスロットでＴＬＶパケットを完結させる。
【００８３】
切替器５０１は、ＴＭＣＣ基本情報においてSTART フラグを検出したら、予備系システム（この例では、第２系統２００）から出力される信号におけるスロットに設定されているＴＭＣＣ基本情報を、放送信号送信装置１から送信される信号におけるスロットのＴＭＣＣ基本情報に設定する。すなわち、切替器５０１は、ＴＭＣＣ基本情報の切り替えを行う。なお、この時点では、切替器５０１は、未だ現用系システム（この例では、第１系統１００）から出力される主信号の選択を維持する。
【００８４】
切替器５０１は、ＴＭＣＣ基本情報の切り替えた時点（ＴＭＣＣ基本情報切替タイミング）から２フレーム後のタイミング（主信号切替タイミング）で、主信号の切り替えを行う。すなわち、切替器５０１は、主信号についても、予備系システム（この例では、第２系統２００）から出力される信号を選択する。
【００８５】
以後、第２系統２００が現用系になり、第１系統１００が予備系になる。
【００８６】
実施形態２．
図１１は、第２の実施形態における第１ＴＬＶ多重化部１０３および切替器５０１の動作を説明するための説明図である。以下、１フレームは、１２０スロットで構成されている場合を例にする。また、第１系統１００が現用系システムであり、第２系統２００が予備系システムである場合を例にする。
【００８７】
第２の実施形態では、放送信号送信装置は、高階層のサービスの信号と低階層のサービスの信号とを多重化して送信する。１フレームのうち１００スロットが高階層のサービスのために使用され、２０スロットが低階層のサービスのために使用される場合を例にする。
【００８８】
制御部３００から切替制御信号が出力されたことを検出したときに、第１エンコーダ１０１は、高階層のＭＭＴＰパケット（ＩＰパケット化されたＭＭＴＰパケット）のヘッダと低階層のＭＭＴＰパケットのヘッダとにおいてEnd フラグをセットする。第１ＴＬＶ多重化部１０３は、ＭＭＴＰパケットにおいてEnd フラグを検出すると、ＴＭＣＣ基本情報の第１０バイトの第７ビットに割り当てられているEND フラグを有意にする。すなわち、第１ＴＬＶ多重化部１０３は、END フラグをセットする。なお、第１ＴＬＶ多重化部１０３は、高階層のスロットと低階層のスロットにそれぞれにおいてEND フラグをセットする。
【００８９】
本実施形態では、第１ＴＬＶ多重化部１０３は、End フラグを検出した後、例えば非特許文献２に記載された変調方式における割り当て最小単位である５×Ｎスロット目（Ｎ：０〜２３、ここでは、１フレームは第０〜第１１９スロットで構成されているとする。）においてEND フラグをセットする。
【００９０】
また、本実施形態では、ＧＡＰ期間を２０スロットの間とする。従って、第１ＴＬＶ多重化部１０３は、END フラグをセットしてから２０スロット（END フラグが設定されたスロットを含む。）のデータの出力が完了すると、次のスロットにおいてSTART フラグをセットする。なお、２０スロットは一例であって、他のスロット数を採用してもよい。
【００９１】
また、上述したように、第１ＴＬＶ多重化部１０３は、ＴＭＣＣ基本情報においてEND フラグをセットしたスロットの２フレーム後の対応スロットにおいて、ＭＭＴＰパケット（ＩＰパケット化されたＭＭＴＰパケット）を伝送するＴＬＶパケットを完結させる。なお、そのときに扱われているＭＭＴＰパケットのサイズが大きい場合には、第１ＴＬＶ多重化部１０３は、２フレーム後の対応スロットにおいてＴＬＶパケットを完結させることができないことが考えられる。そのような場合には、第１ＴＬＶ多重化部１０３は、２フレーム後の対応スロットよりも後のスロットでＴＬＶパケットを完結させる。また、このような制御は、高階層のスロットと低階層のスロットにそれぞれに対して実行される。
【００９２】
切替器５０１は、ＴＭＣＣ基本情報においてSTART フラグを検出したら、予備系システム（この例では、第２系統２００）から出力される信号におけるスロットに設定されているＴＭＣＣ基本情報を、放送信号送信装置１から送信される信号におけるスロットのＴＭＣＣ基本情報に設定する。すなわち、切替器５０１は、ＴＭＣＣ基本情報の切り替えを行う。なお、この時点では、切替器５０１は、未だ現用系システム（この例では、第１系統１００）から出力される主信号の選択を維持する。なお、切替器５０１は、高階層のスロットと低階層のスロットにそれぞれに対して、START フラグの検出およびＴＭＣＣ基本情報の切り替えを行う。
【００９３】
切替器５０１は、ＴＭＣＣ基本情報の切り替えた時点（ＴＭＣＣ基本情報切替タイミング）から２フレーム後のタイミング（主信号切替タイミング）で、主信号の切り替えを行う。すなわち、切替器５０１は、主信号についても、予備系システム（この例では、第２系統２００）から出力される信号を選択する。なお、切替器５０１は、高階層のスロットと低階層のスロットにそれぞれに対して、主信号の切り替えを行う。
【００９４】
以後、第２系統２００が現用系になり、第１系統１００が予備系になる。
【００９５】
以上に説明したように、本実施形態では、放送信号送信装置は、高階層のサービスの信号と低階層のサービスの信号とを多重化して送信するが、第１の実施形態の効果と同様の効果を得ることができる。すなわち、切替器５０１は、ＧＡＰ期間の存在に基づいてシームレスな切り替えを実現できるとともに、START フラグでＧＡＰ期間の終了が明示されることによって、確実な切り替えを実現することができる。
【００９６】
なお、第２の実施形態では、放送信号送信装置が、２つの階層のデータを多重化する場合を例にしたが、３つ以上の階層のデータを多重化することもできる。その場合にも、本実施形態の効果と同様の効果を得ることができる。
【００９７】
図１２は、放送信号送信装置の主要部を示すブロック図である。放送信号送信装置１０は、少なくとも映像信号と音声信号との符号化処理を実行し、符号化されたデータをＭＭＴＰパケットに格納する第１符号化手段１１（実施形態では、第１エンコーダ１０１で実現される。）と、第１符号化手段１１と同じ機能を有する第２符号化手段２１（実施形態では、第２エンコーダ２０１で実現される。）と、少なくとも第１符号化手段１１が出力したＭＭＴＰパケットをＴＬＶパケットに格納する第１多重化手段１２（実施形態では、第１ＴＬＶ多重化部１０３で実現される。）と、第１多重化手段１２と同じ機能を有する第２多重化手段２２（実施形態では、第２ＴＬＶ多重化部２０３で実現される。）と、第１多重化手段１２が出力したデータと第２多重化手段２２が出力したデータとのいずれかを選択する切替手段３１（実施形態では、切替器５０１または切替器５０２で実現される。）とを備え、第１符号化手段１１と第２符号化手段２１とは、それぞれ、現用系と予備系の切替要求（実施形態では、切替制御信号）が入力されたときに、ＴＬＶパケットに切替要求発生フラグ（実施形態では、END フラグ）をセットし、切替要求発生フラグをセットしてから所定期間が経過したときに、ＴＬＶパケットに切替実行フラグ（実施形態では、START フラグ）をセットし、切替手段３１は、切替実行フラグがセットされたことに応じて、第１多重化手段１２と第２多重化手段２２とのうちの現用系のデータを選択する状態から、第１多重化手段１２と第２多重化手段２２とのうちの予備系のデータを選択する状態に切り替える切替処理を実行する。
【符号の説明】
【００９８】
１，１０  放送信号送信装置
１１    第１符号化手段
１２    第１多重化手段
２１    第２符号化手段
２２    第２多重化手段
３１    切替手段
１００  第１系統
１０１  第１エンコーダ
１０２  第１ＭＭＴ多重化部
１０３  第１ＴＬＶ多重化部
２００  第２系統
２０１  第２エンコーダ
２０２  第２ＭＭＴ多重化部
２０３  第２ＴＬＶ多重化部
３００  制御部
４００  基準ＧＯＰ発生部
５０１，５０２  切替器
６００  フレーム同期信号発生部
【図１】
2019176371.tif 000003
【図２】
2019176371.tif 000004
【図３】
2019176371.tif 000005
【図４】
2019176371.tif 000006
【図５】
2019176371.tif 000007
【図６】
2019176371.tif 000008
【図７】
2019176371.tif 000009
【図８】
2019176371.tif 000010
【図９】
2019176371.tif 000011
【図１０】
2019176371.tif 000012
【図１１】
2019176371.tif 000013
【図１２】
2019176371.tif 000014